Podtech/llm-jp-corpus-v4-ja_patent huggingface dataset:
(57)【要約】      （修正有）【課題】既存の塾が持っている距離、時間などの制限から脱却し、受講者がそれぞれの必要にあわせて講義を選択、受講できるようにする。【解決手段】講義に対する受講料を払った人に講義を提供するという塾の概念をインターネット上に移したもので、受講者はオンラインサービスを受けるように仲介者（会社）から希望する講義を購入すると、提供者はウエブページにて該当講義を閲覧する権限を一定期間与える。講義は全国から募集した講師らの講義を記録し、そのデジタル化されたデータを用いる。講義の購入する人数を講師が常に確認することができるようにし、またこれにより発生する利益の一部を講師に払うことにより、講師に対する報酬は講義の人気に比例するようになる。講義に対する質疑や意見などを受け取るＴｚｏｎｅがホームページに存在し、講師から直接返答をもらえる。【選択図】なし【特許請求の範囲】
【請求項１】
この特許は以下の内容を含む。
利用者、仲介者、提供者が存在し、これらの者はインターネットを中心として取引が行う。
利用者は望みのメディアを利用するために仲介者に所定の金額を払うことによりそれに該当するメディアに一定の期間の内接近する権限を受け、利用する。
提供者は、情報を含んだメディアをデータの形として仲介者に渡し、これらの販売を託す。販売により発生した利益の一部を、提供者が受ける。
仲介者は、提供者からのデータをまとめ、利用者にこのデータを販売する。そしてこれにより発生した利益を提供者と分配することにより、利益を得る。
この特許は上述した方式により利益を得るように設けられている集団を範囲としている。
【発明の詳細な説明】
【技術分野】
【０００１】ＩＴ技術、特にデータ転送のためのネットワーク技術を利用したものである。
【背景技術】
【０００２】
【発明の概要】
【発明が解決しようとする課題】
【０００３】  既存の塾は距離的、時間的制限が存在し、良い講義ほど受講しようとする学生が多いが、全ての受講生の需要に対応できないという課題があった。これをインターネットと記録媒体を用い、実際の塾のシステムをネット上のホームページと融合することにより、これらの制限をなくすことを目的としている。。
【課題を解決するための手段】
【０００４】  インターネットのデータ通信技術と、ビデオなどの記録媒体を用いる。
【発明の効果】
【０００５】  ネット通信技術を用いることにより、講義を受けるために受講者が移動する必要がなくなり、また記録媒体として講義を利用するため、利用者の都合に合わせて利用が可能な点、複数の再生や必要なところのみを利用者が選べるなどのことから、利用者の便利性が増加することを期待できる。また、講義を提供する者においても、同じ内容を繰り返す必要がなく、一回の講義の収録で持続的に収入を得ることができる。
【図面の簡単な説明】
【０００６】
【図１】講義の利用者、提供者、仲介者のそれぞれの役割を表した図
【発明を実施するための形態】
【０００７】  受講者はオンラインサービスを受けるように仲介者に希望する講義を購入し、それに応えて仲介者はウエブページにて該当講義を閲覧する権限を一定期間与える。講義は全国から募集した講師らの講義を記録し、そのデジタル化されたデータを用いる。講義の購入する人数を講師が常に確認することができるようにし、またこれにより発生する利益の一部を講師に払うことにより、講師に対する報酬は講義の利用者数に比例するようになる。講義に対する質疑や意見などを受け取るＴｚｏｎｅがホームページに存在し、講師から直接返答を受けるようにする。
【図１】
2012104082.tif 000002
(57)【要約】      （修正有）【課題】携帯端末・パソコンからアクセスする地図サイトで、喫煙者にとって必要である、喫煙所・喫煙可能箇所等、より喫煙者にとって、有益な情報を提供する。【解決手段】地図サイトで配信者からの情報を享受するに留まらず、喫煙者である利用者自らがパソコン及び、携帯端末を通じて地図サイトの閲覧及び作成へと参加することにより、従来にはなかった双方的な地図作成が出来る。其の事により、喫煙所・喫煙可能箇所等、より喫煙者にとって、有益な情報を提供することが出来る。【選択図】なし【特許請求の範囲】
【請求項１】
喫煙者である利用者自らが、パソコン及び、携帯端末を通じて地図閲覧及び喫煙所・喫煙箇所・喫煙具販売店等、喫煙者にとって有益な情報の記載を行えるマッピングサイト。
【請求項２】
請求項１において、飲食店等の企業が喫煙者誘致の為のクーポン・広告等の記載を行える方法
【請求項３】
請求項１において、喫煙所・喫煙箇所・喫煙具販売店等、喫煙者にとって有益な情報の検索においてＧＰＳを用いて最寄りの喫煙所・喫煙箇所・喫煙具販売店等を検索する方法
【発明の詳細な説明】
【技術分野】
【０００１】  本発明は、喫煙所、喫煙可能箇所（飲食店等）喫煙具販売店等を携帯端末、パソコンからの地図による確認及び、記載を行うことが出来るマッピング技術に関するものである。
【背景技術】
【０００２】  従来、携帯端末・パソコンからアクセスする地図サイトでは、喫煙可能箇所等の記載はなく、喫煙者が喫煙可能箇所を探す場合、喫煙者自身の目で探す以外に方法がなかった。
【発明の概要】
【発明が解決しようとする課題】
【０００３】  従来の携帯端末・パソコンからの地図サイトは、次のような欠点があった。
（イ）、配信者側からの一方的なものでしかなく、必ずしも利用者にとって必要な情報が乗ってはいなかった。
（ロ）あくまで目的地までの案内であり、配信者からの情報を享受するに留まっている為、喫煙者にとって必要である喫煙可能箇所の記載が行われることがなかった。
【課題を解決するための手段】
【０００４】    喫煙者である利用者自らがパソコン及び、携帯端末を通じて地図閲覧及び作成へと参加することにより、従来にはなかった双方的な地図作成が出来る。其の事により、喫煙所・喫煙可能箇所等、より喫煙者にとって、有益な情報を提供することが出来る。
【発明の効果】
【０００５】    本発明を使用することによって、喫煙者である利用者は携帯端末及びパソコンを用いて、容易に喫煙所を探し当てることが出来る。このことから、喫煙所が見つからない故の路上喫煙の防止効果も見込める。
【発明を実施するための形態】
【０００６】  以下、本発明実施の形態を説明する。
（イ）喫煙者である利用者はパソコン及び携帯端末を用いてインターネットサイトへとアクセスし、地図の閲覧が出来る。
（ロ）喫煙者である利用者は、パソコン及び携帯端末を用いてインターネットサイトへとアクセスし、喫煙者にとって有益な情報である、喫煙所・喫煙の出来る喫茶店等、喫煙可能箇所・喫煙具の販売所等の場所を地図に記載することが出来る。
（ハ）喫煙者である利用者は、パソコン及び携帯端末を用いてインターネットサイトへとアクセスし、喫茶店等、喫煙可能箇所・喫煙具の販売所等の最寄箇所をＧＰＳを用いて検索することが出来る。
（ニ）喫煙者である利用者は、パソコン及び携帯端末を用いてインターネットサイトへとアクセスし、喫煙者にとって有益な情報（飲食店等が提供する喫煙席で使用することができる電子割引券等）を受け取ることができる。
(57)【要約】【課題】    顧客側、店舗側ともに商品販売時の負担を軽減できる販売システムを提供する。【解決手段】    タブレット型端末を使用して注文をすることで、顧客側と店舗側の負担を軽減することができ、また、このシステムを利用したドライブスルーが実施可能となった。【選択図】図１
2012104086.tif 000002
【特許請求の範囲】
小売店舗におけるタブレット型端末を使用した販売システムと、この販売システムを利用することで実施可能となるドライブスルーシステム。
【発明の詳細な説明】
【技術分野】
【０００１】  本発明は、多種の商品を取り扱う小売店舗における販売システムと、そのシステムを利用することで可能となるドライブスルーシステムに関するものである。
【背景技術】
【０００２】  コンビニエンスストアやスーパーマーケットのような多種の商品を取り扱う店舗は、品種が多く、さらに商品の入れ替わりが多いため顧客が商品を把握できない状況であるが、商品を把握させるために看板などでメニューを用意しても、多品種の中から目的の商品を見つけることは難しく、商品選定に時間もかかるため、従来の音声注文によるドライブスルー形式は不向きであった。【０００３】  顧客が商品を大量に購入するためには、商品の重量や体積の限界もあるため、買い物かごや店内専用カート等が必要であった。
【発明の開示】
【発明が解決しようとする課題】
【０００４】  解決しようとする課題は、商品の実物を置くことによるデメリットの回避と、顧客と従業員の負担を減らして人為的なミスを無くし、販売・購入の手間を軽減した上で防犯を高め、かつそれらの課題が小規模の店舗でも解決できることである。【０００５】  音声注文では聞き間違いや言い間違いによるミス以外のデメリットとして、顧客（注文者）が声を出さなければならない手間がある。【０００６】  また、通常のコンビニエンスストア・スーパーマーケット等の小売店舗では商品を買い物かごに入れて店内で持ち歩くため、商品の重量による疲労や体積の限界もあり、一度に買い物する量が限定されてしまっていた。【０００７】  商品を買い物かごに入れて販売する店舗の場合、万引き防止の見回り、商品の並べ替え、在庫確認などを通常のレジ業務と並行して行わなければならないため従業員の負担が大きく、これを解決するには人員を増やして人件費を増加させるか、店舗を小規模にするなどの方法しかなかったが、商品を並べる広さも必要であり、商品用の倉庫も用意するとある程度広い店舗にしなければならなかった。【０００８】  車を利用して来店する顧客のために、駐車専用の土地の確保が必要だった。
【課題を解決するための手段】
【０００９】  本発明は、液晶などで画面表示が可能なタブレット型端末を複数同時に使った注文システムを最も主要な特徴とする。【００１０】  液晶画面等で商品の表示が可能なタブレット型端末を複数使用（顧客１人に対して端末１台を使用）して商品を注文し、料金を支払ってから商品の受け取りを行う。
【発明の効果】
【００１１】  本発明によれば、メニューが操作可能であるため商品の検索が容易になり、タブレット型端末を車内に持ち込むことで多人数で商品を選ぶことができ、注文のために声を出す必要も無いため顧客（注文者）の負担が減り、聞き間違い等による注文ミスも無くなる。【００１２】  実際に商品を店舗内で持ち歩く必要がないため、肉体的な負担もなく大量に注文することができ、商品の実物に触れる機会は料金支払い後になるため、万引きすることが不可能で防犯性が上がり、また商品を並べる手間が無くなり在庫管理も容易になるため、従業員の負担は軽減され、現状よりも業務が減るため人件費削減が可能である。【００１３】  商品は全て倉庫で管理されているため、商品を並べるスペースは不要であることから、小さい店舗で多種多様な商品展開を行うことが可能である。【００１４】  このタブレット型端末は、土地面積、従業員の人数、商品の種類にあわせて何台でも配置することができるため、小型店舗・大型店舗の規模を問わずに実施することが可能である。
【発明を実施するための最良の形態】
【００１５】  図１で示されるように、道路１に面している小売店舗２があるとき、車３で来店した顧客は駐車場４の敷地内に配置されているタブレット型端末５Ａの横に一時停止し、タブレット型端末５Ａを取り外して車３の中に持ち込む。【００１６】  車３の中でタブレット型端末５Ａを操作して必要な品物を注文すると、小売店舗２の中にある倉庫６に注文内容が送信されるので、店舗側の従業員は注文された品物を倉庫６の中で準備する。【００１７】  注文が終わったら、顧客はタブレット型端末５Ａを元の位置に戻し、図２のように商品受け取り口７Ａへ車３を移動させ、料金の支払いと商品の受け渡しを行うが、料金についてはタブレット型端末５Ａの横に自動清算機を配置することで料金の前払いが可能である。【００１８】  商品受け取り口７Ａで商品を受け取った後、顧客が車３を発進させ道路８へ抜けることで、車３に乗ったまま買い物が可能なドライブスルーシステムとする。【００１９】  徒歩で小売店舗２を利用する場合は、図１の店舗の出入り口９から入店し、店舗内のタブレット型端末５Ｂを使用して注文を行う。【００２０】  店舗内のタブレット型端末５Ｂから注文した場合も、同様に倉庫６に注文内容が送信されるため、店舗側の従業員は注文された品物を倉庫６の中で準備する。【００２１】  注文が終わったら、店内の商品受け取り口７Ｂで料金の支払いと商品の受け渡しを行うが、料金については店舗内のタブレット型端末５Ｂの横に自動清算機を配置することで料金の前払いが可能である。【００２２】  商品受け取り口７Ｂで商品を受け取った後、顧客が店舗の出入り口９から退店することで、徒歩での買い物が可能な販売システムとする。
【産業上の利用可能性】  上述の発明は、小売店舗の販売システムとして利用可能である。
【図面の簡単な説明】
【図１】小売店舗の全体像と、タブレット型端末の配置を示す外観図である。
【図２】図１を反対側から見た場合の外観図である。
【図１】
2012104086.tif 000003
【図２】
2012104086.tif 000004
(57)【要約】      （修正有）【課題】内視鏡用三次元カメラは体内に挿入するため、体内に挿入するため、直径が5mmから11mmしかなく大きさの制限があり、この条件内で内視鏡カメラを改造することなく三次元映像の出力・表示・録画を可能とする手段を提供する。【解決手段】三次元カメラからの入力画像を、複数の二次元表示装置及び、三次元表示装置、録画装置に分配伝送する集中管理装置と、パターンマッチング、構造識別、特徴抽出を実行する画像処理プロセッサー１、画像同期、画像合成、を行う画像処理プロセッサー２、を設け、三次元内視鏡カメラから入力された画像に処理を加え、対象物と同じ三次元画像に補正し、三次元用表示装置に表示するようにした。【選択図】図３
2012176146.tif 000002
【特許請求の範囲】
【請求項１】
請求項１
三次元カメラから電送される入力画像を画像処理後、複数の二次元表示装置及び、三次元表示装置、録画装置に分配伝送する集中管理装置。この装置はパターンマッチング、構造識別、特徴抽出を実行する画像処理プロセッサー１、画像同期、画像合成、を行う画像処理プロセッサー２、および画像認識用パラメータで構成され画像処理,分配を実行する集中管理装置。
請求項2
画像処理プロッセッサー１は対象物画像データからあらかじめ登録された臓器、部位のパターンを検出し、対象物画像と比較し画像の補正を行う。対象物の特徴抽出後、事前設定された体内構造、臓器、部位固有の立体感（特に奥行感）のパラメータにより補正する三次元映像の補正方法。
請求項３
画像処理プロッセッサー２は三次元カメラから電送される入力画像を右目画像、左目画像のフレームのずれを同期させ、次に右目画像、左目画像を合成し、２本であった画像信号を１本に合成する。
【発明の詳細な説明】
【技術分野】
【０００１】
本発明は医療用内視鏡に関するものである。
【背景技術】
【０００２】
従来より劇場用３Ｄ映画、液晶テレビ、民生用ブルーレイレコーダなどで使われている
三次元撮影装置、三次元再生装置がある。
【先行技術文献】
【特許文献】
【０００３】
【特許文献１】特表２００６−５１３５０２
【非特許文献】
【０００４】
【非特許文献１】河合隆史、盛川浩志、太田啓路、阿部信明著「３Ｄ立体映像表現の基礎」オーム社２０１０年
【発明の概要】
【発明が解決しようとする課題】
【０００５】
ところが、ロボット式内視鏡手術、その他の内視鏡手術、検査用内視鏡、で使われている画像入力装置（ビデオカメラ）は体内に挿入するため、直径が5mmから11mmしかなく前記の装置をそのまま応用することはできない。
【課題を解決するための手段】
【０００６】
そこで、本発明は内視鏡手術装置本体を改造することなく、本装置を追加することにより、内視鏡用三次元映像の出力が可能になり、三次元表示装置にてリアルタイムに表示および三次元映像の録画が出来るようになる。これにより、手術、検査の操作効率を高め、手術時間の短縮、疲労の軽減、手術の安全性の向上を図ることを目的とする。
【発明の効果】
【０００７】
手術支援ロボット、内視鏡、腹腔鏡手術、胃カメラなどで使われているモニター用映像を三次元ハイビジョン映像化することにより、操作効率を高め手術時間の短縮、疲労の軽減、手術の安全性の向上を図ることができる。
また検査・手術を三次元ハイビジョン映像で録画することにより、二次元映像による録画に比べ、より精細なデーターの記録、再生が可能となり、検証、症例研究に役立つ。
【図面の簡単な説明】
【０００８】
【図１】図１は三次元（３Ｄ）ハイビジョン映像による手術支援装置の実施方法を示した説明図である。
【図２】図２、内視鏡用カメラ特性を表した図で３Ｄビデオカメラに比べ基線長が端的に短く、視差および輻輳角が小さくなる。従って三次元映像の原理の通り奥行が実物以上に深くなる。
【図３】本装置で実行する画像処理のフローチャート
【図４】画像処理プロッセッサー１の説明図
【発明を実施するための形態】
【０００９】
図１の通り、手術支援ロボット、手術用内視鏡、検査用内視鏡の画像出力端子に本装置を接続すれば三次元ハイビジョン映像を表示、録画することが可能になる。また請求項目２の画像処理方法は請求項目１の装置により実行される。
【実施例】
【００１０】
手術支援ロボット、手術用内視鏡、検査用内視鏡などの本体装置に接続すれば、三次元ハイビジョン映像の出力、再生、録画が可能となる。
【産業上の利用可能性】
【００１１】
手術支援ロボット、手術用内視鏡、検査用内視鏡などの本体装置に接続すれば、これらの装置では見れなかった三次元ハイビジョン映像の表示が可能となる。三次元表示装置は複数台接続できるため、術者以外のスタッフ、研修医や見学者も視聴出来るようになる。また検査・手術を三次元ハイビジョン映像で録画することにより、二次元映像による録画に比べ、より精細なデーターの記録、再生が可能となり、検証、症例研究に役立つ。
【図１】
2012176146.tif 000003
【図２】
2012176146.tif 000004
【図３】
2012176146.tif 000005
【図４】
2012176146.tif 000006
(57)【要約】【課題】本発明は、木質粉炭・珪藻土・ゼオライト等に植物抽出液を混合和してなる有機質の臭気基材開発である。食品残渣臭気・生活臭気・農業臭気・産業臭気・家畜臭気・下水臭気等から起因する有機質の消臭は、有機質臭気分解技術を提供することにある。しかも、高度な設備費用を必要としない容易に製造できることを特徴とした。【解決手段】植物抽出物を多孔質体に加工、物理的処理をすることによって臭気の脱臭は、多孔質体を媒体に実現できた。有機質臭気の分解消滅処理剤は能力技術の開発である。蛋白質の腐敗・動物の排泄物質等の分解・吸着分解・有害物質の吸着・静菌作用等有効微生物の生息環境を整えることによって優れた効果を発揮する。産業上の利用拡大の観点からすると、多孔質の天然素材の木質粉炭・珪藻土・ゼオライト等に単一、または、複合として植物抽出液を適量割合に混合和とした技術は臭気を分解し、雑菌の繁殖に脱臭効果を提供する。本発明は、環境改善・環境保護・環境保全に貢献することを特徴とする。【選択図】なし【特許請求の範囲】
【請求項１】
木質粉炭・珪藻土・ゼオライト等の多孔質体構造に、植物抽出液を適量割合に混合し食品残渣臭気・家畜臭気・下水臭気等の有機質臭気の脱臭可能を特徴とする。
【請求項２】
木質を粉炭処理，加熱、乾燥処理を施したことを特徴とする。
【請求項３】
木質粉炭・珪藻土・ゼオライト等の単一、複合に植物抽出液を混合和してなる好気性菌の繁殖培養助長を可能とすることを特徴とする。
【請求項４】
請求項１〜３を産業上の利用拡大の観点からすると杉間伐材板面の波状成形構造・凹凸成形構造を一体構造に構築することの表面面積の増加によって、木質特性効果作用が発揮できる。さらに、木質粉炭・珪素土・ゼオライト等を単一又は複合にて適量割合に混合和使用することにより、臭気の脱臭範囲の拡大を特徴とする。
【発明の詳細な説明】
【技術分野】
【０００１】本発明は、植物抽出液を多孔質体に含浸させることにより、有機質の臭気を分解し、低減を特徴とする。食品残渣臭気・家畜臭気・下水臭気等からの臭気の脱臭とその浄化処理用基材ならびにその木質成形構造物に関する。
【背景技術】
【０００２】食品残渣臭気・家畜臭気・ペット臭気・生活臭気等の混雑により環境悪化が進んでいることから、臭気問題が起きている。対策として設備日，機材が投入されているものの、十分な処理対策にいたっていない。【０００３】木質粉炭・珪藻土・ゼオライト等を独自製法加工で物理的処理工程の処理用機材とする方法とその成形構造物。
【発明の開示】
【発明が解決しようとする課題】
【０００４】本発明は、木質粉炭・珪藻土・ゼオライト等の多孔質体に植物抽出液を含浸処理することにより、好気性菌の繁殖培養によって浄化効果が得られる。その浄化処理基材とその製造方法の発明。汚水、化学物質、リン、チッソ、アンモニアなどの汚れを吸着し微生物、細菌類を自然分解させることにより微生物担体の栄養分に変えることにより分解浄化することで自然環境の保護を試み為される。【０００５】木質粉炭は、森林間伐材、道路工事、流木、解体工事等の木材資源の有効活用を図ることによる、資源リサイクルの貢献になる。この資源リサイクルは、環境ホルモンを含む処理用途に拡大できる。【０００６】本発明は、特に国内産の杉間伐材を用途拡大にいれ、木材表面面積の波型形状・凹凸形状の連続加工によって表面面積が増加される結果、割れ・反り・歪み・たわみ・ネズレ・圧力等の外部からの影響の減少した加工木材を提供する。木質粉炭・珪藻土・ゼオライト等成形構造物の有用性に杉間伐材を環境改善材としての提供を目的とする。
【課題を解決するための手段】
【０００７】脱臭については、数多くの提案がなされ実用化されているものの、設備投資と多大なる費用と人力を必要としたが、成果に至っていない。
また、杉間伐材の木の香り成分には、血圧降下・ストレス解消効果があることは、公知・概知とされている。【０００８】木質粉炭を多孔質体にすることでの効果は、表面面積、空隙率の多孔質構造機能の活用を特徴とする。
本発明の有機質臭気の脱臭方法は臭気の分解消滅・吸収分解浄化することで環境汚染はない。【０００９】本発明の有機質臭気の脱臭材は、資源循環型社会の有効な推進とする。【００１０】本発明によって、食品残渣臭気・汚水臭気・産業臭気・畜産臭気の処理において臭気脱臭は確立された。
【発明の効果】
【００１１】天然素材の木質粉炭・珪藻土・ゼオライト等に植物抽出液を混合和してなる好気生菌は有用な特徴と細孔部に吸着保持された微生物の相乗効果による環境改善剤を得ることができた。天然資源が有する特性から、独自効果の大きい作用が発見された。【００１２】さらに環境改良材として、持続的効果の得られることが発見された。【００１３】有用な微生物が多孔質体に付着、浸潤され有機質臭気の分解処理ができた。
発明による有機質臭気の脱臭処理材は、安全性、経済性ともに優れ、低コストでしかも実用に優れた環境用材を供することができた。
【発明を実施するための最良の形態】
【００１４】本発明の木質粉炭・珪藻土・ゼオライト等を有機質臭気に接触することで吸着・付着され固液分解によるＢＯＤ減少反応がおきる。有機質臭気および有害物質が分解された。【００１５】さらに、有機質臭気の脱臭・固液分解のＳＳ・ＢＯＤは水分反応をした。【００１６】このことは、醗酵分解消化の条件から無数の菌・微生物菌が発生した。【００１７】発生した菌・微生物菌は、ＳＳ・ＢＯＤ源を分解消化によって二酸化炭素や水に解かされ脱臭となった。【００１８】このような多面性のある物質反応によって水となり臭気分解がなされた。【００１９】本発明の有機質臭気の脱臭剤は天然素材の木質粉炭・珪藻土・ゼオライト等の多孔質体をベースとする。
【産業上の利用可能性】
【００２０】本発明に係わる有機質臭気の脱臭材は、食品残渣臭気・汚水生活臭気・農業水臭気・家畜臭気・下水臭気等の有機質臭気に微生物の有機物の分解作用が働き、臭気を低減分解し脱臭効果を提供する。多孔質体の木質粉炭・珪藻土・ゼオライト等を単一、または、複合としての適量割合での混合和技術でもって脱臭効果を得たことから、杉間伐材促進に利活用され産業上の利用範囲が拡大された。
(57)【要約】【課題】アロマセラピ−芳香性の揮発性促進の覚醒系植物精油を含有とし植物から抽出された物質を免疫能の向上・予防医学の見地から有効に使用でき、高額な設備投資を押さえ、比較的簡単な装置を特徴とした。【解決手段】覚醒系植物精油を含有とした芳香油を揮発促進することによって成分組成効用の有効性アロマセラピ−効果が発揮される。アロマセラピ−芳香油の揮発促進を木材加工・無機系多孔質・ゼオライト・珪藻土・金属加工・陶器加工・プラスチッ加工等の構造・容器、または、それらを組み合わせる成形材による。覚醒系植物精油は、木質精油に含有し森林セラピ−の目的の森林整備・免疫能の向上・予防医学と地域振興の活性化を促進する。【選択図】なし【特許請求の範囲】
【請求項１】
アロマセラピ−芳香油の揮発促進の覚醒系植物精油を含有とした物質セラピ−の予防医学効果・免疫能の向上を無機系多孔質、ゼオライト、珪藻土、金属加工、木工加工、陶器加工、プラスチック加工の容器、または、それらの組み合わせ成形材のアロマオイルを揮発促進させることを特徴とする。
【請求項２】
公知の既知物質芳香油の覚醒系植物精油効果は、アロマオイルの揮発促進を芳香油の蒸発をすることで予防医学効果を得たことを特徴とする。
【請求項３】
単一アロマオイル、複数アロマオイル混合の芳香組成物の揮発促進から予防医学効果を得ることを特徴とする。
【請求項４】
請求項３において同等の成果を得ることを特徴とする。
【請求項５】
前記、請求項１から４において本発明趣旨を逸脱しない範囲の変更は、本発明に含まれる。
【発明の詳細な説明】
【技術分野】
【０００１】本発明は、アロマセラピ−における香料、芳香性をもつ覚醒系植物精油を含有とした生成組成されている芳香を揮発促進させ、免疫機能の向上・予防医学促進に関するものである。【０００２】上記、覚醒系植物精油含有の芳香組成物は、癒し効果、自然治癒効果を高めるアイテムが類似し、芳香揮発促進させることで免疫能向上・予防医学効果のさらなる期待ができる。【０００３】本発明の芳香油発揮促進は、アロマセラピ−物質における成分揮発促進によって、精神性理学に関するものである。
【背景技術】
【０００４】従来の香料、芳香は、依然として各種の個別対応がなされ、抽出物質の性状対策に汎用性は希薄で、対象物質の成分組成の抽出が十分な成果を上げ得ているとは言えない実態である。対象成分物質を発揮させることで、消臭、脱臭、抗菌、殺菌、臨床効果等の汎用性を可能とし、積極的に効果が追求でき得る技術を望んでいる。
【発明の開示】
【発明が解決しようとする課題】
【０００５】前記従来、芳香組成物、機能は類似し、感覚属性に関する香料と香りの分野において、臭覚感覚に一様性のない複雑分野のまま用いられている。本発明の、芳香組成成分揮発促進は、公知、既知物質感覚属性の促進効果の実用化を鑑みることを課題とした。【０００６】本発明は、このような実状に鑑みなされたものであり，芳香組成物質の成分揮発促進でそのアロマセラピーの提供を目的とする。
【課題を解決するための手段】
【０００７】課題を解決するため、本発明技術は、前記による効果で対象成分物質に揮発効果が得られ、請求項１から５の好ましい選択の合理的構成が得られ、この発明に到達した。
【発明の効果】
【０００８】以上のように、本発明技術は、覚醒系植物精油の含有物質のアロマセラピ−効果が発揮し、芳香組成物質成分を無駄なく融合し、汎用され、その期待は大きい。【０００９】芳香成分効用は、公知とされているものに、抗菌力、殺菌力、除菌力、院内感染を効果的に防止できるとされている。森林浴と同様の精神安定効果から癒し自然治癒力を高めるアイテムの複合の芳香揮発を促進することを特徴とする。【００１０】芳香揮発促進は、免疫グロブリン向上・降圧効果・脳機能の活性化・認知症の周辺症状とブ問題行動・幻視・幻覚・妄想・暴言・暴力徘徊等を含む周辺症状の抑制可能性作用効果を特徴とする。
【発明を実施するための最良の形態】
【００１１】本発明は、覚醒系植物精油を含有し免疫能の向上・予防医学の鎮静系対象芳香成分の組成物、生成方法の成分組成を発揮し得ることを図ることの汎用性。つまり、交感神経を副交換神経より優位作用を有する覚醒系木質素材加工を備えた効果は有効。例えば、杉・檜の香り・アロマセラピ−の精油に植物の種類に花・茎・葉・芯・果実・根・全草等の少なくとも一部を原料とした覚醒系対象芳香成分の入った精油が好ましい。特にラベンダ−が好ましいとされているのは、公知・概知として好ましいアロマセラピ−効果が得られている。【００１２】なお、製法には水蒸気蒸留法・冷浸抽出製法・低温圧搾製法・溶剤抽出製法・超臨界二酸化炭素抽出製法等公知の製法にて得られが、本技術は、実施に限定されるものではなく、趣旨を逸脱しない種々範囲の変更は、本発明に含まれる。
【産業上の利用可能性】
【００１３】覚醒系植物精油含有芳香成分揮発促進組成・成分のアロマセラピ−材の木質・植物は、免疫能向上・予防医学に好適効果となり、芳香療法、肌にすり込む健康、美容法並んで精神性理学に関することから、癒しの効果、自然治癒等の臨床効果に係わる。【００１４】上記、対象成分物質を発揮促進することで、さらに、消臭、脱臭、抗菌、殺菌等の汎用性の効果が得られる・セラピ−効果は、予防医学・森林セラピ−の目的である森林整備による地域活性化の可能性を有する。
(57)【要約】      （修正有）【課題】良質な睡眠を取ることができ、快適に過ごせる枕を提供すること。【解決手段】安全、安心が得られるように、充填材に保温性、保湿性、消臭、通気性、放熱性を考慮して高温焼成セラミック珪素土成粒を使用した。【選択図】なし【特許請求の範囲】
【請求項１】
珪藻土焼成粒を柔軟性・通気性素材に形成含備えたことを特徴とする枕。
【請求項２】
枕を、袋状の形状にし、繊維粒子を収納にしたことを特徴とする請求項１記載の枕。
【請求項３】
請求項１から２の枕形状は、素材・大・小・高・低等用途に組み合わせた形状にしたことを特徴する。
【請求項４】
珪藻土焼成粒の素材をベ−スとした本発明は、多用途なメカニズムを取り入れ、多目的、多様化に活用できることを特徴とする。
【発明の詳細な説明】
【技術分野】
【０００１】本発明枕は、消臭機能・調湿機能に優れた快適快眠枕に関する。
【背景技術】
【０００２】従来、ム−トン、ウレタン、空気を入れたクッション，ドウナツ状に工夫されたのとの使用が行われている。
しかし、製造工程において設計、部材、型材と製作技術がかかり高額なものになっている。
【発明の開示】
【発明が解決しようとする課題】
【０００３】本発明は、上記従来使用のクッション機能の身体重量緩和による患部の保護具にとどまらず、自分に合った好みの高さ、形状が自在を可能としたことにある。
快適な姿勢でもって、保温、保湿性，消臭、通気性、放熱性にも優れ、保熱効果、空気清浄効果メカニズムの天然素材の高温焼成セラミック珪藻土を取り入れたことを特徴とした適度な感触素材の枕である。
本素材は、安定供給が確保でき、製造コストが安価で安全、安心で安価に提供する。
【課題を解決するための手段】
【０００４】本発明枕は、感染対策に優れ、使い捨てに対応できる衛生重視の安価な、しかも廃棄処分において有害物を排出せず、生分解を有することから環境に優しく、環境保護に資するものである。
珪藻土焼成粒は、細孔の目詰まりは無く、孔の中に更に孔があり、天然素材の超微細、多孔を有している。
寝具生地の綿素材を使用し、サイズを任意にすることによって使用範囲が広まることと、表、裏の両面使用を可能にしたことを特徴とした。
（効能）
吸湿性がよい。放熱性がよい。通気性がよい。弾力性があり寝心地がよい。汗を発散させ寝心地がよい。坊ダニ、抗菌、坊カビ作用がある。調湿、防湿、消臭効果がある。
（手入れ方法）
吸湿性に富んでいることから、こまめに日光乾燥をすることにより、快適に活用できる。
（特色）
両面使用ができる。通気性がよく衛生的。サイズ調整が自在可能。
（構造）
多孔質の集合体素材を１００パーセント使用した。
表生地は、綿１００パーセント使用で寝具に適している。
パッド使用なので用材の使用量によって、サイズ調整が可能。
睡眠時に保温性、保湿性が十分でないと、体内バランスが壊れ、体調不良、機能低下を招くおそれがある。
【発明の効果】
【０００５】本発明は、メッシュの整った粒状の体圧バランスを視野に入れた枕であり、寝ている間に枕がしっくりなじみ、入院時の汗、血、体液等により繁殖する細菌から発症を防ぎ、発症の予防をする。従来の枕に比べ、負担軽減ができることを特徴とした。【０００６】本発明枕は、汚れを洗濯して継続使用をしないでそのままに廃棄処分をすることにより感染症、院内感染を防ぐことができる。【０００７】本発明の枕は、汎用性を取り入れ床ずれ防止パッド取り扱い性が向上する。【０００８】保健衛生環境に貢献できる。
【発明を実施するための最良の形態】
【０００９】本発明は、珪藻土含有枕として、用途に床ずれの発症し易い箇所に使用する事で、患部にしっくり馴染み、患部に体重が集中することが無く安定した状態を保つ事ができる。【００１０】皮膚に直接ふれても違和感のない素材にしたことを特徴とする。【００１１】ベッド使用時、車椅子使用時においても珪藻土含有枕を床ずれ防止パッドとして、当てる事により、発生を防ぎ、床ずれの発症している床ずれを保護することを特徴とする。【００１２】枕・床ずれ防止パッドとして患者の希望する箇所に使用することによって、患部に限らず心地よいすごし方ができることを特徴とする。【００１３】汎用から患者の状態によって、シ−ツのように、かける、敷くことが仕様でき得ることを特徴とする。
【産業上の利用可能性】
【００１４】本発明は、珪藻土含有枕に、焼成顆粒を素材とした珪藻土特性を活用とした開発であり、床ずれ防止パッドの効果にも適し、かつ環境保護に資する。
素材の特長は、木炭の数千倍という超多孔質でしかも超細孔を持っている。
軽さは、かさ比重０，２４、気孔率９０パーセント、多孔性は、吸湿性、放湿性に富んでいる。消臭、空気清浄、保温効果があることから快適な睡眠を取ることができる。
(57)【要約】【課題】使用者がサイズの調整を行える装身具であって、宝石などの重みや摩擦による回転を防ぎ、かつ、装着および取り外しが簡単な装身具を提供する。【解決手段】弾性ゴム紐に孔付きの宝石などを通した本体左右の両端に、捨てビーズを通し引き締め固結びをした上につぶし玉を固定し連結金具で連結部を設け、連結部の左右に丸カンで留め金具を繋ぎ右留め金具の端部を左留め金具に合体化することを特徴とする装身具。【選択図】図１
2012176219.tif 000002
【特許請求の範囲】
【請求項１】
弾性ゴム紐に孔付きの宝石などを通した本体左右の両端に、捨てビーズを通し引き締め固結びをした上につぶし玉を固定し連結金具で連結部を設け、連結部の左右に丸カンで留め金具を繋ぎ右留め金具の端部を左留め金具に合体化することを特徴とする装身具。
【発明の詳細な説明】
【技術分野】
【０００１】  本発明は、使用者がサイズの調整を行える装身具であって、宝石などの重みや摩擦による回転を防ぎ、かつ、装着および取り外しが簡単な装身具に関するものである。
【背景技術】
【０００２】  従来、装身具を身に着けていると、宝石などの重みや摩擦で回転し、見せたい位置がずれてしまっていた。また、留め金具の装着や取り外しが難しく落としやすい、
【発明の概要】
【発明が解決しようとする課題】
【０００３】  そのために、次のような問題点があった。
装身具のサイズを変更する場合、調整して作り直さなければならなかった。
また、留め金具の先端が細かいため、装着や取り外しが難しく時間がかかっていた。
本発明は、以上の問題点を解決しようとするものである。
【課題を解決するための手段】
【０００４】  弾性ゴム紐に孔付きの宝石などを通した本体左右の両端に、捨てビーズを通し引き締め固結びをした上につぶし玉を固定し連結金具で連結部を設け、連結部の左右に丸カンで留め金具を繋ぎ右留め金具の端部を左留め金具に合体化する。以上を特徴とする装身具である。
【発明の効果】
【０００５】  本発明は、弾性ゴム紐と連結金具類などを併用することで、面倒な内径の計測が不要となり、より密着したうえ窮屈さのない装着感で装身具の回転を防ぎ、弾性ゴム紐を伸ばし過ぎることなく劣化も遅らせ、高級感が出るなどの相乗効果まで生まれた。
また、本体に通した弾性ゴム紐が伸縮可能であるので、装身具を装着または取り外す場合、左右の留め金具を合体化したままで、装身具の内径を広げることが可能であり、何人にも装着および取り外しが簡単に行えて時間がかからない。【０００６】  本発明の前記ならびにそのほかの新規な特徴は、次の説明を添付図面と照らし合わせて読めば、より明らかになるであろう。
ただし、図面は解説のためのものであって、本発明の範囲を限定するものではない。
【発明を実施するための最良の形態】
【０００７】  以下、本発明の実施の形態について説明する。
（イ）本装身具は、一本または二本以上の弾性ゴム紐を孔付きの宝石などに通した本体（Ａ）と、その本体（Ａ）に連結した左留め金具（Ｂ）と右留め金具（Ｃ）からなり、本体（Ａ）の左右両端に連結金具（４ａ）（４ｂ）で連結部（６ａ）（６ｂ）を設け、装身具の留め金具（Ｂ）（Ｃ）を連結可能に構成する。
（ロ）左連結部（６ａ）は左連結金具（４ａ）に左丸カン（５ａ）を通し左留め釡具（Ｂ）を繋ぎ、同じく右連結部（６ｂ）は右連結金具（４ｂ）に右丸カン（５ｂ）を通し右留め金具（Ｃ）を繋ぎ、端部を左留め金具（Ｂ）に合体化して、円状に形成される。
（ハ）弾性ゴム紐を孔付きの宝石などに通した本体（Ａ）左右の両端に、捨てビーズ（１ａ）（１ｂ）を通し、引き締めながら固結びをした弾性ゴム紐の結び目（３ａ）（３ｂ）の上でつぶし玉（２ａ）（２ｂ）をつぶして固定し、余った弾性ゴム紐の両端をすぐ上で切り取り、捨てビーズ（１ａ）（１ｂ）とつぶし玉（２ａ）（２ｂ）の両方を覆うように連結金具（４ａ）（４ｂ）で左右に連結部（６ａ）（６ｂ）を設け形成される。
この時、連結金具（４ａ）（４ｂ）の内部で、本体（Ａ）の両端に通した捨てビーズ（１ａ）（１ｂ）が、固結びをした弾性ゴム紐の結び目（３ａ）（３ｂ）の飛び出しを防ぐ役割をするため表面に飛び出ることはない。
更に弾性ゴム紐の結び目（３ａ）（３ｂ）の上でつぶし玉（２ａ）（２ｂ）をつぶすことにより、連結金具（４ａ）（４ｂ）から弾性ゴム紐がすり抜けることはない。
また、装身具を装着および取り外す時は、本体（Ａ）の弾性ゴム紐の伸縮を利用し、上方向に引っぱりながら装着し、同様に本体（Ａ）を上方向に引っぱりながら簡単に取り外すことができ、装身具の右留め金具（Ｃ）の端部を左留め金具（Ｂ）に合体化したままで、装身具の内径を簡単に広げることが可能であり、装着および取り外しに時間がかからない。
この結果、本体（Ａ）に通した弾性ゴム紐と連結金具類などを併用することで見た目に高級感が出て、より密着したうえ窮屈さのない装着感で装身具の回転を防ぎ、弾性ゴム紐を伸ばし過ぎることなく劣化も遅らせる。
ほかに洋服の上などに装着できるなどお洒落の幅も広がり、面倒な内径の計測が不要なため贈り物にもできサイズ変更による作り直しもいらない。
【図面の簡単な説明】
【０００８】
【図１】本発明の分解正面図
【図２】本発明の実施例を示す正面図
【符号の説明】
【０００９】Ａ      本体
Ｂ      左留め金具
Ｃ      右留め金具
１ａ    左捨てビーズ
１ｂ    右捨てビーズ
２ａ    左つぶし玉
２ｂ    右つぶし玉
３ａ    弾性ゴム紐の左結び目
３ｂ    弾性ゴム紐の右結び目
４ａ    左連結金具
４ｂ    右連結金具
５ａ    左丸カン
５ｂ    右丸カン
６ａ    左連結部
６ｂ    右連結部
【図１】
2012176219.tif 000003
【図２】
2012176219.tif 000004
(57)【要約】【課題】  本発明は、プレイ中に外したゴルフグローブを簡単に収納でき、ゴルフボールも常にきれいに拭くことができ、ベストな状態でストロークする事ができる、ゴルフグローブホルダーを提供する。【解決手段】  グローブホルダーの片面に両用マジックテープを設け、袋状にした部分にボール拭きの布を伸縮性のある紐で本体とつなぎ上部に取り外しができる金具を取り付け、ゴルフグローブの収納とゴルフボール拭きを一つのホルダーにまとめることを特徴とする、ゴルフグローブホルダー。【選択図】図１
2012176217.tif 000002
【特許請求の範囲】
【請求項１】
グローブホルダーの片面に両用マジックテープを設け、袋状にした部分にボール拭きの布を伸縮性のある紐で本体とつなぎ上部に取り外しができる管具を取り付け、ゴルフグローブの収納とゴルフボール拭きを一つのホルダーにまとめることを特徴とする、ゴルフグローブホルダー。
本発明はグローブホルダーの片面に両用マジックテープを設け、袋状にした部分にボール拭きの布を伸縮性のある紐で本体とつなぎ上部に取り外しができる金具を取り付けることにより、ゴルフグローブの収納とゴルフボール拭きを一つのホルダーにまとめることができ、
ゴルフプレイ中はスラックスのベルト通しなどに付けて持ち運ぶことができる。
プレイが終わったあとは、キャデイバックにつけてグローブや布を乾かすことができる。
【発明の詳細な説明】
【技術分野】
【０００１】  本発明は、撥水性のある布を袋状にし、片面に両用マジックテープ（登録商標）を設け、ボールを拭くための布を袋状部分に入れられるようにした、ゴルフグローブホルダーに関するものである。
【背景技術】
【０００２】  ゴルフ場、ゴルフ練習場にて、ゴルフグローブを外した場合、グローブはスラックス等のポケットの中かキャデイバッグの中に収納していた。
【発明の概要】
【発明が解決しようとする課題】
【０００３】  従来、次のような問題があった。
ゴルフプレイ中にゴルフグローブを外した場合、一々奇麗にたたんでスラックス等のポケットに収納し、パットをする前にゴルフボールを奇麗に拭いて準備しなくてはならなかった。
そのためには、グリーンに行く前にグローブを外し、ボール拭きを持っていかなければならず、このような行動をスムーズに行うことができず、プレイに支障があった。
本発明は以上の問題点を解決しようとするものである。
【課題を解決するための手段】
【０００４】  本発明はグローブホルダーの片面に両用マジックテープを設け、袋状にした部分にボール拭きの布を伸縮性のある紐で本体とつなぎ上部に取り外しができる金具を取り付けることにより、ゴルフグローブの収納とゴルフボール拭きを一つのホルダーにまとめることができる。
本発明は、以上のように構成されたゴルフグローブホルダーである。
【発明の効果】
【０００５】  本発明は、ゴルフグローブのマジック部分を利用し、ホルダーに簡単に装着でき、ゴルフボールも常に奇麗に拭くことが容易となるものである。
ゴルフプレイ中はスラックスのベルト通しなどに付けて持ち運ぶことができる。
プレイが終わったあとは、キャデイバックにつけてグローブや布を乾かすことができる。
【発明を実施するための形態】
【０００６】  以下、本発明の実施の形態を説明する。
本体（１）の側面に両用マジックテープ（登録商標）（６）を設ける。
本体（１）開口部にボール拭き布収納口（５）を設ける。
本体（１）とボール拭き布（４）を伸縮性のある紐（８）でつなぎ本体（１）に取り外しができる金具（７）を取り付ける。
本発明は、以上の構成よりなっている。
本発明を使用するときは、ゴルフプレイ中にスラックス等のベルト通し（３）に取り付ける。
グローブをいちいちスラックスのポケットに入れず、マジックテープの部分をホルダー本体（１）に簡単に収納できる。
ボール拭き布（４）で、いつもベストな状態でボールをストロークすることができる。
ゴルフプレイ中はスラックスのベルト通しなどに付けて持ち運ぶことができる。
プレイが終わったあとは、キャデイバックにつけてグローブや布を乾かすことができる。
【図面の簡単な説明】
【０００７】
【図１】  本発明の斜視図である。
【符号の説明】
【０００８】  １  本体
２  ベルト
３  ベルト通し
４  ボール拭き布
５  ボール拭き布収納口
６  両用マジックテープ（登録商標）
７  取り外しができる金具
８  伸縮性のある紐
【図１】
2012176217.tif 000003
(57)【要約】【課題】ヘアードライヤーを手洗い場等に設置できる様にする事で簡単にエアータオルを提供する。【解決手段】ヘアードライヤー用ハンガー（１）を手洗い場付近に設置し、スイッチ付きコンセント（２）でヘアードライヤーの電源を操作することを特徴とする。【選択図】図１
2012176218.tif 000002
【特許請求の範囲】
【請求項１】
手洗い場や洗面台にヘアードライヤー用ハンガー（１）を設けそこに設置したヘアードライヤーをスイッチ付きコンセント（２）で操作するドライヤーでエアータオル。
【発明の詳細な説明】
【技術分野】
【０００１】この発明はヘアードライヤーをエアータオルとして使用する事に関するものである。
【背景技術】
【０００２】従来ヘアードライヤーは髪の毛を乾かす物として使われていた。
【先行技術文献】
【特許文献】
【０００３】
【特許文献１】
【発明の概要】
【発明が解決しようとする課題】
【０００４】タオルを共同使用する事で病原菌の転移が起こったり、紙タオルを使用する事で森林資源が消費されてしまう。本発明はどこの家庭にもあるヘアードライヤーをエアータオルとして使用する事で、以上のような欠点をなくす為になされたものである。またエアータオルの導入コストも低減することができる。
【課題を解決するための手段】
【０００５】手洗い場や洗面台付近にヘアードライヤー用ハンガー（１）を設置し、スイッチ付きコンセント（２）でヘアードライヤーの電源を操作できるようにする。本発明は、以上の構成によりなる「ドライヤーでエアータオル」である。
【発明の効果】
【０００６】ドライヤーをエアータオルとして使用する事で、布タオル等を共同使用する事の嫌悪感をなくすことができる。菌の繁殖、転移を防止することができる。冷水での手洗い後に手を温めることができる。エアータオル導入コストの低減ができる。また、以前から製品としてあるエアータオルは風量が弱い、温風の温度が低い、手を差し出す部分が狭い等の問題が機種によっては有り、これらを解決することができる。
【図面の簡単な説明】
【０００７】
【図１】本発明の概略図である。
【発明を実施するための形態】
【０００８】以下、本発明を実施するための形態について説明する。  手洗い場や洗面台などの上部に、ヘアードライヤー用のハンガー（１）を設置し、スイッチ付きコンセント（２）で作動させる。これを使用する時はヘアードライヤーとしても使用できるが、手洗い場や洗面台の上部に設置されたヘアードライヤーの下に手を差し出しスイッチを体の一部で操作しヘアードライヤーを作動させ、手を乾燥させればよい。
【符号の説明】
【０００９】１  ヘアードライヤー用ハンガー
２  スイッチ付きコンセント
【図１】
2012176218.tif 000003
(57)【要約】      （修正有）【課題】従来、眼鏡を眼鏡ケースに収納したとき、レンズと眼鏡ケースが当たり、振動などによりレンズに擦り傷が発生する。この擦り傷は、レンズの凸面に発生し、また、レンズのコーティング面に面状に発生するため、眼鏡を使用する際に非常に見難くなる。レンズにこの擦り傷が付かないようにする。【解決手段】眼鏡を眼鏡ケース１に収納したとき、眼鏡フレームの智（ヨロイ）部３を直接支持する、眼鏡ケース１と一体化又は別ピースでできた支持部２を設ける。又は、眼鏡フレームのリム６を直接支持する、眼鏡ケース１と一体化又は別ピースでできた支持部を設ける。これらによって、眼鏡を眼鏡ケース１に収納したとき、レンズ４が眼鏡ケース１に接触することがなくなるので、レンズ４に擦り傷が発生する恐れがなくなる。【選択図】図１
2012176220.tif 000002
【特許請求の範囲】
【請求項１】
眼鏡ケースに眼鏡を収納したとき、そのレンズが眼鏡ケースに直接接触しないように、眼鏡フレームを直接支持する支持部を、前記の眼鏡ケース内に設けたことを特徴とする眼鏡ケース。
【発明の詳細な説明】
【技術分野】
【０００１】  本発明は、眼鏡ケースに眼鏡を収納したとき、そのレンズが眼鏡ケースに直接接触しないように、眼鏡フレームを支持する支持部を、眼鏡ケース内に設けたことを特徴とした、眼鏡ケースの構造に関するものである。
【背景技術】
【０００２】  従来、眼鏡を眼鏡ケースに収納したとき、そのレンズが眼鏡ケースに当たり、振動などによりレンズ面に擦り傷が発生する。この擦り傷は、レンズの凸面に発生し、また、レンズのコーティング面に面状に発生するため、眼鏡を使用する際に非常に見難くなる。
【発明の概要】
【発明が解決しようとする課題】
【０００３】  レンズにこの擦り傷が発生しないようにするため、従来から様々な方法が採られている。一般的には、眼鏡ケースに植毛をしたり、レンズの汚れを拭くために使う布をレンズの下に敷いたりしている。しかし、眼鏡ケースに植毛をしたり、布をレンズの下に敷いたりする方法は、携帯時の振動によりレンズ面と眼鏡ケース、又はレンズを拭くための布と擦れるので、レンズ面に擦り傷が発生する。【０００４】  本発明者は、このレンズの擦り傷の発生を防ぐ研究を行った結果、これを実現することに成功し、本発明として、ここに提案するものである。
【課題を解決するための手段】
【０００５】  本発明が提案する眼鏡ケースは、眼鏡ケースに眼鏡を収納したとき、そのレンズが眼鏡ケースに直接接触しないように、眼鏡フレームを直接支持する支持部を、前記の眼鏡ケース内に設けたことを特徴とする眼鏡ケースである。
【発明の効果】
【０００６】  レンズと眼鏡ケースが接触しないようにした構造であるために、レンズはどこにも触れず、レンズの擦り傷発生の要因を除去することができる。
【図面の簡単な説明】
【０００７】
【図１】本発明に係る実施例１の眼鏡ケースの面断面図
【図２】本発明に係る実施例２の眼鏡ケースの面断面図
【発明を実施するための形態】
【０００８】  眼鏡フレームの智（ヨロイ）部を直接支持する、眼鏡ケースと一体化又は別ピースでできた支持部を設ける。
【０００９】  眼鏡フレームのリムを直接支持する、眼鏡ケースと一体化又は別ピースでできた支持部を設ける。
【実施例１】
【００１０】  図１は眼鏡ケースに眼鏡を収納したときの面断面図である。眼鏡フレームは、智（ヨロイ）、蝶番、テンプル（つる）、ブリッジ、パッド、リム（レンズ保持部）によって構成され、この眼鏡フレームにレンズが取り付けられて眼鏡が構成される。眼鏡ケース１の支持部２は眼鏡ケースに眼鏡を収納したとき、そのレンズ４が眼鏡ケースに直接接触しないように、眼鏡フレームを直接支持する支持部である。【００１１】  眼鏡フレームの智（ヨロイ）部３は、この設けられた眼鏡ケースの支持部２によって支持され、レンズ４が眼鏡ケース１に接触することがなくなる。【００１２】  このように、眼鏡ケース１に眼鏡を収納したとき、レンズ４が眼鏡ケース１に接触することがないので、レンズ４に擦り傷が発生しない。
【実施例２】
【００１３】  図２はこの発明に係わる眼鏡ケース１に眼鏡を収納したときの面断面図である。眼鏡ケース１の支持部５は眼鏡ケースに眼鏡を収納したとき、そのレンズ４が眼鏡ケースに直接接触しないように、眼鏡フレームを直接支持する支持部である。【００１４】  眼鏡フレームのリム６は、この設けられた眼鏡ケースの支持部５によって支持され、レンズ４が眼鏡ケース１に接触することがなくなる。【００１５】  このように、眼鏡ケース１に眼鏡を収納するとき、レンズ４が眼鏡ケース１に接触することがないので、レンズ４に擦り傷が発生しない。
【符号の説明】
【００１６】    １  眼鏡ケース
２  支持部
３  智（ヨロイ）部
４  レンズ
５  支持部
６  リム
【図１】
2012176220.tif 000003
【図２】
2012176220.tif 000004